(57)【要約】【課題】２重押しボタン構造の押しボタンユニットを備える電子機器装置において、薄型化を図りつつ、静電気防護を実現する。【解決手段】光ディスク再生装置１は、スイッチ３３ａ〜３３ｅと、２重押しボタン構造の押しボタンユニットと、これらを収納する表示ケース３５とを備える。押しボタンユニットは、スイッチ３３ａ〜３３ｅをスイッチングするための第１の押しボタン５０及び第２の押しボタン６０と、静電気対策用の第１の導電性部材７０及び第２の導電性部材８０とを有する。第１の導電性部材７０は、第１の押しボタン５０と第２の押しボタン６０との間に設けられており、第２の導電性部材８０は、表示ケース３５と第１の押しボタン５０との間に設けられている。第１の導電性部材７０は、第２の導電性部材８０に接続されており、第２の導電性部材８０は、ヒンジユニット４を介してグランドに接続されている。【選択図】図５
2012003862.tif 000002
【特許請求の範囲】
【請求項１】
スイッチと、前記スイッチをスイッチングするための第１の押しボタン及び第２の押しボタンと、前記スイッチ、前記第１の押しボタン、及び第２の押しボタンを収納するケースとを備え、
前記第１の押しボタンのキートップ及び前記第２の押しボタンのキートップは、前記ケースに設けられた開口に臨み、
前記第１の押しボタンのキートップは、中央に孔が開いており、
前記第２の押しボタンのキートップは、前記第１の押しボタンのキートップの中央の孔に臨む電子機器装置において、
前記第１の押しボタンと前記第２の押しボタンとの間に設けられた静電気対策用の導電性部材を備える、
ことを特徴とする電子機器装置。
【請求項２】
前記ケースと前記第１の押しボタンとの間に設けられた静電気対策用の導電性部材を備え、
前記第１の押しボタンと前記第２の押しボタンとの間に設けられた静電気対策用の導電性部材は、前記ケースと前記第１の押しボタンとの間に設けられた静電気対策用の導電性部材に接続されており、
前記ケースと前記第１の押しボタンとの間に設けられた静電気対策用の導電性部材は、グランドに接続されている、
ことを特徴とする請求項１に記載の電子機器装置。
【請求項３】
前記第２の押しボタンは、該第２の押しボタンのキートップを保持する弾性のあるバネ部を有し、
前記第１の押しボタンと前記第２の押しボタンとの間に設けられた静電気対策用の導電性部材は、
前記第２の押しボタンのキートップよりも大きな外形を持つ、前記第２の押しボタンのキートップに嵌着される嵌着部と、
前記嵌着部に繋がっており、前記第２の押しボタンのバネ部と同じ形状を持つ、前記第２の押しボタンのバネ部に重ねられる弾性のある重ね部とを有する、
ことを特徴とする請求項１又は請求項２に記載の電子機器装置。
【請求項４】
前記第１の押しボタンと前記第２の押しボタンとの間に設けられた静電気対策用の導電性部材は、グランドに接続されている、
ことを特徴とする請求項１に記載の電子機器装置。
【発明の詳細な説明】
【技術分野】
【０００１】
本発明は、２重押しボタン構造の押しボタンユニットを備える電子機器装置に関するものである。
【背景技術】
【０００２】
従来から、例えば光ディスク再生装置などの電子機器装置において、ケース内に、スイッチ及びスイッチをスイッチングするための押しボタンを収納し、押しボタンのキートップをケースに設けられた操作用開口に臨ませたものがある。このような電子機器装置では、人の指などが押しボタンのキートップに近づいたときに、人の指などから静電気が放電することがある。このとき、静電気がケースの操作用開口（押しボタンのキートップとケースとの間の隙間）を通ってケース内の電子部品に放電すると、電子部品に悪影響を及ぼす虞がある。このため、このような電子機器装置では、静電気をグランドに放電させるための導電性部材を設けたり、押しボタンのキートップから電子部品までの沿面距離を長くするなどして、静電気が電子部品に放電されないように静電気防護策を講じている。
【０００３】
また、このような電子機器装置において、複数の押しボタンを備える場合に、それら複数の押しボタンをユニット化して押しボタンユニットとしたものがある。このような押しボタンユニットとしては、第１の押しボタンと第２の押しボタンとを備え、第１の押しボタンのキートップの中央に孔を設け、この孔に第２の押しボタンのキートップを臨ませたものがある。このような構造の押しボタンユニットを２重押しボタン構造の押しボタンユニットと呼ぶ。
【０００４】
また、導電性部材をダイアルと一緒に回転するように操作ボタンの底部に配置すると共に、この導電部材をダイアルを保持するベース部材に設けたアース部材に接触させることにより、静電気防護策を講じた電子機器装置が知られている（例えば特許文献１参照）。また、半導体基板に形成されたスイッチング素子と電気的に独立して半導体基板に接続する柱状導電体を設けることにより、静電気防護策を講じた半導体装置が知られている（例えば特許文献２参照）。また、ケースに設けられた操作用開口と操作用開口に臨む操作部材との間を遮蔽する導電性部材を設けることにより、静電気防護策を講じた電子機器装置が知られている（例えば特許文献３参照）。また、回転型物が回転する際にクリック感を生じさせるクリック機構に、回転型物を通して回転型物の下面側に露出されるアースリード部を設けることにより、静電気防護策を講じた電子部品が知られている（例えば特許文献４参照）。また、ケース内の回路基板とケースに設けられた操作用開口との間に導電性部材を設けることにより、静電気防護策を講じた電子機器装置が知られている（例えば特許文献５参照）。
【先行技術文献】
【特許文献】
【０００５】
【特許文献１】特開２００２−３０４９３４号公報
【特許文献２】特開２００２−４８５０７号公報
【特許文献３】特開２００２−９３２８８号公報
【特許文献４】特開２００７−１７３０９３号公報
【特許文献５】実開平５−６８９３号公報
【発明の概要】
【発明が解決しようとする課題】
【０００６】
ところで、２重押しボタン構造の押しボタンユニットでは、第１の押しボタンのキートップと第２の押しボタンのキートップとの間に隙間を生じてしまうため、静電気が第１の押しボタンのキートップと第２の押しボタンのキートップとの間の隙間を通ってケース内の電子部品に放電する虞がある。従って、２重押しボタン構造の押しボタンユニットでは、静電気が第１の押しボタンのキートップと第２の押しボタンのキートップとの間の隙間を通ってケース内の電子部品に放電しないように、静電気防護策を講じる必要がある。この静電気防護策としては、第１の押しボタンのキートップから（及び第２の押しボタンのキートップから）、第１の押しボタンのキートップと第２の押しボタンのキートップとの間の隙間を経由した、電子部品までの沿面距離を長くする構成が考えられる。しかしながら、このような構成では、電子機器装置のサイズが大きくなり、薄型化が困難である。なお、上述した特許文献１乃至特許文献５に開示の内容を適用したとしても、上記の問題を解決することはできない。
【０００７】
本発明は、上記課題を解決するためになされたものであり、２重押しボタン構造の押しボタンユニットを備える電子機器装置において、薄型化を図りつつ、静電気防護を実現することができる電子機器装置を提供することを目的とする。
【課題を解決するための手段】
【０００８】
上記目的を達成するために請求項１の発明は、スイッチと、スイッチをスイッチングするための第１の押しボタン及び第２の押しボタンと、スイッチ、第１の押しボタン、及び第２の押しボタンを収納するケースとを備え、第１の押しボタンのキートップ及び第２の押しボタンのキートップは、ケースに設けられた開口に臨み、第１の押しボタンのキートップは、中央に孔が開いており、第２の押しボタンのキートップは、第１の押しボタンのキートップの中央の孔に臨む電子機器装置において、第１の押しボタンと第２の押しボタンとの間に設けられた静電気対策用の導電性部材を備えるものである。
【０００９】
請求項２の発明は、請求項１に記載の電子機器装置において、ケースと第１の押しボタンとの間に設けられた静電気対策用の導電性部材を備え、第１の押しボタンと第２の押しボタンとの間に設けられた静電気対策用の導電性部材は、ケースと第１の押しボタンとの間に設けられた静電気対策用の導電性部材に接続されており、ケースと第１の押しボタンとの間に設けられた静電気対策用の導電性部材は、グランドに接続されているものである。
【００１０】
請求項３の発明は、請求項１又は請求項２に記載の電子機器装置において、第２の押しボタンは、該第２の押しボタンのキートップを保持する弾性のあるバネ部を有し、第１の押しボタンと第２の押しボタンとの間に設けられた静電気対策用の導電性部材は、第２の押しボタンのキートップよりも大きな外形を持つ、第２の押しボタンのキートップに嵌着される嵌着部と、嵌着部に繋がっており、第２の押しボタンのバネ部と同じ形状を持つ、第２の押しボタンのバネ部に重ねられる弾性のある重ね部とを有するものである。
【００１１】
請求項４の発明は、請求項１に記載の電子機器装置において、第１の押しボタンと第２の押しボタンとの間に設けられた静電気対策用の導電性部材は、グランドに接続されているものである。
【発明の効果】
【００１２】
請求項１乃至請求項４の発明によれば、第１の押しボタンと第２の押しボタンとの間に静電気対策用の導電性部材が設けられていることにより、静電気が第１の押しボタンのキートップと第２の押しボタンのキートップとの間の隙間を通ってケース内の電子部品に放電することが防がれる。これにより、第１の押しボタンのキートップの中央の孔に第２の押しボタンのキートップを臨ませた構造の（２重押しボタン構造の押しボタンユニットを備える）電子機器装置において、静電気防護を実現することができる。しかも、沿面距離を長くする構成と比較して、薄型化を図りつつ、静電気防護を実現することができる。
【図面の簡単な説明】
【００１３】
【図１】（ａ）は本発明の一実施形態に係る光ディスク再生装置の概略構成を示すディスクカバーを閉じた状態の斜視図、（ｂ）は同ディスクカバーを開いた状態の斜視図。
【図２】同光ディスク再生装置の分解斜視図。
【図３】同光ディスク再生装置の押しボタンユニットの構成を示す、図２の一部を拡大した斜視図。
【図４】（ａ）は同光ディスク再生装置の押しボタンユニットの構成を示す、図３の背面側から見た平面図、（ｂ）は（ａ）のＡ−Ａ線断面図。
【図５】同光ディスク再生装置の押しボタンユニットの構成を示す、同押しボタンユニットを分解した状態の背面側から見た斜視図。
【発明を実施するための形態】
【００１４】
以下、本発明を具体化した実施形態による電子機器装置について図面を参照して説明する。図１（ａ）（ｂ）、図２（ａ）は、本実施形態による電子機器装置である光ディスク再生装置の構成を示す。光ディスク再生装置１は、例えばＤＶＤやＢＤ等の光ディスク１０から記録データを読取る装置である。この光ディスク再生装置１は、携帯型のものである。
【００１５】
光ディスク再生装置１は、本体ユニット２と、表示ユニット３と、ヒンジユニット４と、ヒンジカバー５とを備えており、表示ユニット３がヒンジユニット４を介して本体ユニット２に取付けられ、表示ユニット３が本体ユニット２に対して回動可能になっている。
【００１６】
本体ユニット２は、光ディスク１０から記録データを読取る光ディスク読取ユニット２１と、光ディスク読取ユニット２１を収納する本体ケース２２と、カバー２３と、内蓋２４とを有する。本体ケース２２は、本体ケース２２の下側部分を占める下ケース２２ａと、本体ケース２２の上側部分を占める上ケース２２ｂとを有しており、下ケース２２ａと上ケース２２ｂが相互に結合されている。
【００１７】
光ディスク読取ユニット２１は、その一部（光ディスク１０を回転させるためのスピンドルモータ２１ａ、及び光ディスク１０から記録データを読取る光読取ヘッド２１ｂ等）が、上ケース２２ｂに設けられた読取開口２２ｃに臨んでいる。読取開口２２ｃの上に、光ディスク１０が装着されるようになっている。カバー２３は、上ケース２２ｂに設けられたヒンジ結合開口２２ｄ（図２参照）を塞ぐように、本体ケース２２の上ケース２２ｂに装着されている。内蓋２４は、光ディスク１０が装着される領域に対して開閉可能なように、本体ケース２２の上ケース２２ｂに回動自在に装着されている。
【００１８】
表示ユニット３は、液晶パネル３１と、回路基板３２と、５つのスイッチ３３ａ、３３ｂ、３３ｃ、３３ｄ、３３ｅと、押しボタンユニット３４と、これら液晶パネル３１、回路基板３２、スイッチ３３ａ〜３３ｅ、及び押しボタンユニット３４を収納する表示ケース３５とを有する。表示ケース３５は、表示ケース３５の前側部分を占める前ケース３５ａと、表示ケース３５の後側部分を占める後ケース３５ｂとを有しており、前ケース３５ａと後ケース３５ｂが相互に結合されている。
【００１９】
液晶パネル３１は、前ケース３５ａ（表示ケース３５）に設けられた表示開口３５ｃに臨んでいる。液晶パネル３１は、本体ユニット２の光ディスク読取ユニット２１により光ディスク１０から読取った記録データに基く画像や、メニュー画面等の各種画像を表示する。スイッチ３３ａ〜３３ｅは、回路基板３２に実装されている。スイッチ３３ａ〜３３ｅは、表面が押圧されることによりスイッチングする押圧方式のスイッチである。回路基板３２には、スイッチ３３ａ〜３３ｅ以外にも、各種電子部品（不図示）が実装されており、また、電気回路（不図示）が形成されている。押しボタンユニット３４は、スイッチ３３ａ〜３３ｅをスイッチングするために操作されるものであり、前ケース３５ａ（表示ケース３５）に設けられた操作用開口３５ｏに臨んでいる。押しボタンユニット３４の構成の詳細については後述する。
【００２０】
ヒンジユニット４は、図２に示すように、表示ユニット３に結合される表示側結合部４１と、本体ユニット２に結合される本体側結合部４２と、表示側結合部４１と本体側結合部４２とを相対的に回動可能に連結したヒンジ機構部４３等を有する。このヒンジユニット４は、２軸スイーベルヒンジと呼ばれるヒンジユニットであり、ヒンジ機構部４３は、表示側結合部４１と本体側結合部４２とを相対的に直交２軸に回動可能に連結している。
ヒンジカバー５は、ヒンジユニット４のヒンジ機構部４３に取付けられている。
【００２１】
表示側結合部４１は、表示ユニット３の下端部の中央部に結合されており、本体側結合部４２は、本体ユニット２の後端部の中央に結合されている。これにより、表示ユニット３は、本体ユニット２に対して直交２軸に回動可能になっている。すなわち、表示ユニット３は、本体ユニット２に対して、表示ユニット３の下端部を通って表示ユニット３の下端縁と平行な第１の回動中心軸Ｃ１の軸回りに回動可能になっていると共に、本体ユニット２の後端部の中央を通って本体ユニット２の上面に垂直な第２の回動中心軸Ｃ２の軸回りに回動可能になっている。ヒンジカバー５は、本体ユニット２と表示ユニット３との間に位置し、ヒンジ機構部４３の、表示ユニット３と本体ユニット２の両方の外部に位置する部分を覆っている。
【００２２】
光ディスク再生装置１を使用するときには、例えば、表示ユニット３を開いた状態（表示ユニット３を本体ユニット２に対して起立させた状態、又は、表示ユニット３の背面（画像表示面と反対側の面）が本体ユニット２の上面に合わさるように、表示ユニット３を本体ユニット２に対して倒伏させた状態）にされる。また、光ディスク再生装置１を携帯して持ち運ぶときには、例えば、表示ユニット３を閉じた状態（表示ユニット３の正面（画像表示面）が本体ユニット２の上面に合わさるように、表示ユニット３を本体ユニット２に対して倒伏させた状態）にされる。また、光ディスク再生装置１は、不図示の外部装置を接続して使用（光ディスク再生装置１により光ディスクから読取った記録データに基く画像を外部装置のディスプレイに表示）することができるようになっており、外部装置を接続して使用する場合には、例えば、表示ユニット３を閉じた状態にされる。
【００２３】
図３、図４（ａ）（ｂ）、図５は、上記押しボタンユニット３４の構成を示す。押しボタンユニット３４は、スイッチ３３ａ〜３３ｅをスイッチングするための第１の押しボタン５０及び第２の押しボタン６０とを備えている。この押しボタンユニット３４は、２重押しボタン構造の押しボタンユニットであり、第２の押しボタン６０のキートップ６２が、第１の押しボタン５０のキートップ５２の中央に設けられた孔５２ｏに臨んでいる。また、押しボタンユニット３４は、静電気対策用の第１の導電性部材７０と、静電気対策用の第２の導電性部材８０とを備えている。
【００２４】
第１の押しボタン５０は、スイッチ３３ａ、３３ｂ、３３ｃ、３３ｄをスイッチングするためのものであり、基部５１と、キートップ５２と、バネ部５３と、押圧突起５４ａ、５４ｂ、５４ｃ、５４ｄとを有する。基部５１は、キートップ５２を支持するものであり、キートップ５２を囲うように環状に形成されている。キートップ５２は、スイッチ３３ａ、３３ｂ、３３ｃ、３３ｄをスイッチングするために押下操作される部分であり、バネ部５３を介して、基部５１と繋がっている。また、キートップ５２は、環状に形成されていて、中央に孔５２ｏが開いている。バネ部５３は、キートップ５２を弾性変位自在に保持するものであり、弾性がある。すなわち、キートップ５２は、バネ部５３によって、基部５１に対して弾性変位自在に保持されている。押圧突起５４ａ、５４ｂ、５４ｃ、５４ｄは、スイッチ３３ａ、３３ｂ、３３ｃ、３３ｄを押圧するためのものであり、キートップ５２の背面に設けられている。
【００２５】
第２の押しボタン６０は、スイッチ３３ｅをスイッチングするためのものであり、支持部６１と、キートップ６２と、バネ部６３と、押圧突起６４ｅとを有する。支持部６１は、キートップ６２を支持するものである。キートップ６２は、スイッチ３３ｅをスイッチングするために押下操作される部分であり、バネ部６３を介して、支持部６１と繋がっている。バネ部６３は、キートップ６２を弾性変位自在に保持するものであり、弾性がある。すなわち、キートップ６２は、バネ部６３によって、支持部６１に対して弾性変位自在に保持されている。押圧突起６４ｅは、スイッチ３３ｅを押圧するためのものであり、キートップ６２の背面に設けられている。
【００２６】
第１の導電性部材７０は、第１の押しボタン５０のキートップ５２と第２の押しボタン６０のキートップ６２との間の隙間に対して、静電気防護を講じるものであり、支持部７１と、嵌着部７２と、重ね部７３と、接続部７４とを有する。支持部７１は、嵌着部７２を支持するものである。嵌着部７２は、第２の押しボタン６０のキートップ６２に嵌着される部分であり、第２の押しボタン６０のキートップ６２よりも大きな外形を持ち、環状に形成されていて、中央に孔７２ｏが開いている。嵌着部７２は、重ね部７３を介して、支持部７１と繋がっている。重ね部７３は、第２の押しボタン６０のバネ部６３に重ねられる部分であり、嵌着部７２と支持部７１とに繋がっており、第２の押しボタン６０のバネ部６３と同じ形状を持ち、弾性がある。すなわち、嵌着部７２は、重ね部７３によって、支持部７１に対して弾性変位自在に保持されている。接続部７４は、第２の導電性部材８０と電気的に接続する部分であり、支持部７１に繋がっている。
【００２７】
第２の導電性部材８０は、第１の押しボタン５０のキートップ５２と前ケース３５ａとの間の隙間に対して、静電気防護を講じるものであり、嵌着部８１と、接続部８２とを有する。嵌着部８１は、第１の押しボタン５０のキートップ５２に嵌着される部分であり、環状に形成されていて、中央に孔８１ｏが開いている。接続部８２は、ヒンジユニット４の表示側結合部４１（グランド）と電気的に接続する部分であり、嵌着部８１に繋がっている。
【００２８】
第１の押しボタン５０は、キートップ５２が前ケース３５ａの操作用開口３５ｏに嵌め込まれており、第２の押しボタン６０は、キートップ６２が第１の押しボタン５０のキートップ５２の中央の孔５２ｏに嵌め込まれている。すなわち、第１の押しボタン５０のキートップ５２及び第２の押しボタン６０のキートップ６２は、前ケース３５ａの操作用開口３５ｏに臨んでおり、かつ、第２の押しボタン６０のキートップ６２は、第１の押しボタン５０のキートップ５２の中央の孔５２ｏに臨んでいる。
【００２９】
第１の導電性部材７０は、第１の押しボタン５０と第２の押しボタン６０との間に設けられている。すなわち、第１の導電性部材７０は、嵌着部７２が第２の押しボタン６０のキートップ６２に嵌め込まれると共に、重ね部７３が第２の押しボタン６０のバネ部６３に重ねられた状態で、第１の押しボタン５０と第２の押しボタン６０との間にある。
【００３０】
第２の導電性部材８０は、前ケース３５ａと第１の押しボタン５０との間に設けられている。すなわち、第２の導電性部材８０は、嵌着部８１が第１の押しボタン５０のキートップ５２に嵌め込まれた状態で、前ケース３５ａと第１の押しボタン５０の基部５１及びバネ部５３との間にある。
【００３１】
また、第２の導電性部材８０は、接続部８２がヒンジユニット４の表示側結合部４１に接触しており、ヒンジユニット４（ヒンジユニット４はグランドになっている）と電気的に接続されている。すなわち、第２の導電性部材８０は、ヒンジユニット４を介して、グランドに接続されている。ヒンジユニット４の表示側結合部４１は、前ケース３５ａの内面に設けられたヒンジ結合支柱３７に結合されるようになっており、接続部８２は、ヒンジ結合支柱３７とヒンジユニット４の表示側結合部４１との間に挟まれていることで、ヒンジユニット４の表示側結合部４１に接触している。
【００３２】
また、第１の導電性部材７０は、接続部７４が第２の導電性部材８０の接続部８２に接触しており、第２の導電性部材８０と電気的に接続されている。すなわち、第１の導電性部材７０は、第２の導電性部材８０及びヒンジユニット４を介してグランドに接続されている。接続部７４は、弾性があり、接続部７４自身の弾性で、第２の導電性部材８０の接続部８２に接触している。
【００３３】
これら第１の押しボタン５０、第２の押しボタン６０、第１の導電性部材７０、第２の導電性部材８０は、前ケース３５ａの内面に設けられた取付支柱３６に、第２の導電性部材８０、第１の押しボタン５０、第１の導電性部材７０、第２の押しボタン６０の順に装着することにより、ボタンユニット３４として組み立てられると共に、前ケース３５ａに取付けられる。第１の押しボタン５０、第２の押しボタン６０、第１の導電性部材７０、第２の導電性部材８０を取付支柱３６に装着した（前ケース３５ａに取付けた）後に、回路基板３２が取付けられ、ヒンジユニット４の表示側結合部４１がヒンジ結合支柱３７に結合される。
【００３４】
第１の押しボタン５０のキートップ５２を押すと、押した箇所に応じて、バネ部５３が弾性変形しつつ、キートップ５２の位置、姿勢が変位する。キートップ５２を押すのを止めると、バネ部５３が元の形状に戻ることによって、キートップ５２の位置、姿勢が元に戻るように変位する。キートップ５２の位置、姿勢の変位に応じて、押圧突起５４ａ、５４ｂ、５４ｃ、５４ｄがスイッチ３３ａ、３３ｂ、３３ｃ、３３ｄを押圧／押圧解除し、スイッチ３３ａ、３３ｂ、３３ｃ、３３ｄがスイッチングされる。
【００３５】
また、第２の押しボタン６０のキートップ６２を押すと、バネ部６３が弾性変形しつつ、キートップ６２の位置が変位する。キートップ６２を押すのを止めると、バネ部６３が元の形状に戻ることによって、キートップ６２の位置が元に戻るように変位する。キートップ６２の位置の変位に応じて、押圧突起６４ｅがスイッチ３３ｅを押圧／押圧解除し、スイッチ３３ｅがスイッチングされる。
【００３６】
このような構成の光ディスク再生装置１によれば、第１の押しボタン５０と第２の押しボタン６０との間に静電気対策用の第１の導電性部材７０が設けられていることにより、静電気が第１の押しボタン５０のキートップ５２と第２の押しボタン６０のキートップ６２との間の隙間を通って表示ケース３５内の電子部品に放電することが防がれる。これにより、第１の押しボタン５０のキートップ５２の中央の孔５２ｏに第２の押しボタン６０のキートップ６２を臨ませた構造の（２重押しボタン構造の押しボタンユニット３４を備えた）光ディスク再生装置１において、静電気防護を実現することができる。しかも、沿面距離を長くする構成と比較して、薄型化を図りつつ、静電気防護を実現することができる。
【００３７】
また、表示ケース３５と第１の押しボタン５０との間に静電気対策用の第２の導電性部材８０が設けられていることにより、静電気が第１の押しボタン５０のキートップ５２と表示ケース３５との間の隙間を通って表示ケース３５内の電子部品に放電することが防がれる。これにより、より有効な静電気防護を実現することができる。
【００３８】
しかも、第１の押しボタン５０と第２の押しボタン６０との間に第１の導電性部材７０を設けると共に、表示ケース３５と第１の押しボタン５０との間に第２の導電性部材８０を設け、第１の導電性部材７０を第２の導電性部材８０に接続し、第２の導電性部材８０をヒンジユニット４（グランド）に接続する構成により、薄型化を図りつつ、簡略な構成によって、静電気防護を実現することができる。
【００３９】
なお、本発明は、上記実施形態の構成に限られず、種々の変形が可能である。例えば、第１の導電性部材は、第２の導電性部材を介さずに、直接に、ヒンジユニット（グランド）に接続されていてもよい。また、本発明は、光ディスク再生装置に限られず、他の電子機器装置にも適用可能である。
【符号の説明】
【００４０】
１    光ディスク再生装置（電子機器装置）
２    本体ユニット
３    表示ユニット
４    ヒンジユニット
５    ヒンジカバー
１０  光ディスク
２１    光ディスク読取ユニット
２１ａ    スピンドルモータ
２１ｂ    光読取ヘッド
２２    本体ケース
２２ａ    下ケース
２２ｂ    上ケース
２２ｃ    読取開口
２２ｄ    ヒンジ結合開口
２３    カバー
２４    内蓋
３１    液晶パネル
３２    回路基板
３３ａ、３３ｂ、３３ｃ、３３ｄ、３３ｅ    スイッチ
３４    押しボタンユニット
３５    表示ケース
３５ａ    前ケース
３５ｂ    後ケース
３５ｃ    表示開口
３５ｏ    操作用開口
３６    取付支柱
３７    ヒンジ結合支柱
４１    表示側結合部
４２    本体側結合部
４３    ヒンジ機構部
５０    第１の押しボタン
５１    基部
５２    キートップ
５２ｏ    孔
５３    バネ部
５４ａ、５４ｂ、５４ｃ、５４ｄ    押圧突起
６０    第２の押しボタン
６１    支持部
６２    キートップ
６３    バネ部
６４ｅ    押圧突起
７０    第１の導電性部材
７１    支持部
７２    嵌着部
７２ｏ    孔
７３    重ね部
７４    接続部
８０    第２の導電性部材
８１    嵌着部
８１ｏ    孔
８２    接続部
【図１】
2012003862.tif 000003
【図２】
2012003862.tif 000004
【図３】
2012003862.tif 000005
【図４】
2012003862.tif 000006
【図５】
2012003862.tif 000007